(57)【要約】【課題】一本または複数の瓶体を携帯する使用の便をはかることが可能なリングユニットを提供する。【解決手段】サポートリング１０は、瓶体９０と一体に形成され、少なくとも一つの穿孔１１を有する。機能リング２０は、穿孔１１と結合および分離可能に穿孔１１に装着される。機能リング２０は、瓶体９０を持ち上げる手段、複数の瓶体９０を互いに連結する手段、または、瓶体９０と他の部材とを連結する手段として機能する。【選択図】  図１
0003179541.tif 000002
【実用新案登録請求の範囲】
【請求項１】
瓶体と一体に形成され、少なくとも一つの穿孔を有するサポートリングと、
前記穿孔と結合および分離可能に前記穿孔に装着される機能リングと、を備え、
前記機能リングは、前記瓶体を持ち上げる手段、複数の前記瓶体を互いに連結する手段、または、前記瓶体と他の部材とを連結する手段として機能することを特徴とするリングユニット。
【請求項２】
前記機能リングは、開閉可能に前記穿孔に装着され、一端に形成される係合柱、および、他端に形成される係合孔を有し、
前記係合柱が前記係合孔に差し込まれることにより、前記機能リングと前記穿孔とは着脱可能に結合されることを特徴とする請求項１に記載のリングユニット。
【請求項３】
前記機能リングは、開閉可能に前記穿孔に装着され、一端に形成される嵌合部、他端に形成される嵌合孔、および、前記嵌合孔と繋がる貫通孔を有し、
前記嵌合部が前記嵌合孔に嵌合し、前記貫通孔に係止されることにより、前記機能リングと前記穿孔とは着脱可能に結合されることを特徴とする請求項１に記載のリングユニット。
【請求項４】
前記機能リングは、環状体、および、前記環状体の両端から軸に対し平行に延びるよう形成されるフックを有し、
前記フックが前記サポートリングの前記穿孔に引っかかることにより、前記機能リングと前記穿孔とは着脱可能に結合されることを特徴とする請求項１に記載のリングユニット。
【請求項５】
前記機能リングは、環状体、および、前記環状体の両端から軸に直交する仮想平面に沿って延びるよう形成されるフックを有し、
前記フックが前記サポートリングの前記穿孔に引っかかることにより、前記機能リングと前記穿孔とは着脱可能に結合されることを特徴とする請求項１に記載のリングユニット。
【請求項６】
前記サポートリングは、前記穿孔とは異なる部位に欠け口を有することを特徴とする請求項１に記載のリングユニット。
【考案の詳細な説明】
【技術分野】
【０００１】
本考案は、瓶体に取り付けられるリングユニットに関する。
【背景技術】
【０００２】
従来、プラスチック製の瓶体、例えばミネラルウォーターのペットボトルや飲料のペットボトルなどは、携帯に便利な構造が何ら設計されておらず、持ち歩く際、以下の欠点を有する。
１、手で直接キャップまたは瓶体を持つことが一般的であるため、手首が疲労し、瓶体が滑って落下するような事態が起こりやすい。
２、瓶体が大きい場合、手でしっかり持つことが難しいだけでなく、瓶体が滑って落下することがよくある。
３、瓶体の本数が多い場合、同時に手で持つことができない。
４、瓶体の中身が冷たい飲料であるか、瓶体が冷蔵庫から取り出される場合、外部の空気中の水分が瓶体の表面に凝結し、冷たい水滴を生じさせるため、かばんの中に入れることも、別の物に掛けることもできない。また、手で直接冷たい瓶体またはキャップを持つと手に不快感を与えることがある。
【先行技術文献】
【特許文献】
【０００３】
【特許文献１】台湾実用新案公告７７４６５号
【特許文献２】台湾実用新案公告３０８５７２号
【特許文献３】台湾実用新案公告３７８６４９号
【特許文献４】台湾実用新案公告５００６８１号
【特許文献５】台湾実用新案公告５５４９１１号
【特許文献６】台湾実用新案公告３６８９８０号
【特許文献７】台湾実用新案公告Ｍ２９６２０６号
【考案の概要】
【考案が解決しようとする課題】
【０００４】
上述の従来の瓶体に対し、関連のある先行技術、例えば特許文献１〜５などにより提示された瓶体は、瓶体を相互に連結する効果を持たず、単一の瓶体の持ち上げに対応するため、複数の瓶体を同時に持って歩くことが難しい。かつ、構造が複雑であり、製造コストが高くつくため、構造に改善の余地がある。
【０００５】
一方、特許文献６、７により提示されたグリップ、サポートリングは、瓶体に増設する構造であり、製造するには型作りが必要であるだけでなく、構造が複雑であるため、環境保全を満足せず、製造コストが高くつく。また、使用の前にグリップおよびサポートリングを瓶体に連結しなければ、グリップおよびサポートリングが紛失しやすくなる。
【０００６】
本考案者は、瓶体にサポートリングを配置して携帯の便をはかる構造が配慮されなかった先行技術に鑑み、多年にわたって製品の設計および開発に携わって積み重ねた経験に基づいて研究、改良および実験を絶えず進めた結果、本考案を完成させた。
本考案は、持ち上げ機能および連結機能を兼ね備えることによって一本または複数の瓶体を携帯する使用の便をはかることが可能なリングユニットを提供することを主な目的とする。
【０００７】
また、本考案は、持ち上げ機能および連結機能を兼ね備えるだけでなく、紛失しにくく、製造コストを削減し、環境を保全することが可能なリングユニットを提供することをもう一つの目的とする。
【課題を解決するための手段】
【０００８】
上述の目的を達成するために、本考案によるリングユニットは、瓶体と一体に形成されたサポートリングおよび機能リングを備える。サポートリングは少なくとも一つの穿孔を有する。機能リングは穿孔と結合および分離可能に穿孔に装着される。本考案は、サポートリングおよび機能リングによって瓶体を持ち上げ、機能リングによって複数の瓶体を相互に連結したり、瓶体と別の物とを連結したりすることができるため、瓶体を携帯する使用の便をはかることができる。
【図面の簡単な説明】
【０００９】
【図１】本考案の第１実施形態によるリングユニットを示す分解斜視図。
【図２】本考案の第１実施形態によるリングユニットを示す斜視図。
【図３】本考案の第１実施形態によるリングユニットを示す断面図。
【図４】本考案の第１実施形態によるリングユニットを使用し、二つの瓶体を連結する状態を示す断面図。
【図５】本考案の第１実施形態によるリングユニットの機能リングを使用し、手で二つの瓶体を同時に持ち上げる状態を示す模式図。
【図６】本考案の第１実施形態によるリングユニットを使用し、複数の瓶体を連結する状態を示す斜視図。
【図７】本考案の第２実施形態によるリングユニットの機能リングを示す斜視図。
【図８】本考案の第３実施形態によるリングユニットの機能リングを示す斜視図。
【図９】本考案の第３実施形態によるリングユニットの機能リングを使用し、手で二つの瓶体を同時に持ち上げる状態を示す斜視図。
【図１０】本考案の第４実施形態によるリングユニットの機能リングを示す斜視図。
【図１１】本考案の第５実施形態によるリングユニットのサポートリングおよび穿孔を示す斜視図。
【図１２】本考案の第６実施形態によるリングユニットのサポートリングおよび穿孔を示す斜視図。
【考案を実施するための形態】
【００１０】
以下、本考案によるリングユニットを図面に基づいて説明する。
（第１実施形態）
【００１１】
図２に示すように、本考案の第１実施形態は、瓶体９０と一体に形成されたサポートリング１０およびサポートリング１０に装着された機能リング２０を備え、機能リング２０によって瓶体９０を持ち上げ、かつ図５および図６に示すように複数の瓶体９０を相互に連結するか瓶体９０と別の物とを連結するため、携帯の便をはかることができる。
図１、図２および図３に示すように、瓶体９０はミネラルウォーターのペットボトルや飲料のペットボトルなどの一般のプラスチック製の瓶体である。瓶体９０は口部９１に締め付けられるキャップ９２を有する。
【００１２】
ペットボトルなどの一般の瓶体を製造する際、あらかじめ瓶雛型を製作する。瓶雛型は口部と一体成型された環状グリップ即ちサポートリングを有する。本考案において、サポートリング１０は一般の瓶体上の環状グリップ即ちサポートリングを採用する。サポートリング１０は、瓶体９０から延びるように一体成型され、かつ、複数の穿孔１１を有する。図１、２、５、６に示すように、本実施形態では穿孔１１を四つ配置するため、四つの方向から瓶体９０を連結することができる。
【００１３】
機能リング２０は、プラスチック、ゴムまたは金属材料から構成され、一定の可撓性を有する。機能リング２０は、開閉可能に穿孔１１に装着され、一端に先端部の比較的大きい係合柱２１、および、他端に係合孔２２を有する。係合柱２１が係合孔２２に差し込まれることにより、機能リング２０を脱落させることなく穿孔１１に装着することができ、機能リング２０と穿孔１１とは着脱可能に結合される。
【００１４】
図２および図３に示すように、機能リング２０が別の瓶体９０を連結していない場合、ユーザーは機能リング２０によって手で直接瓶体９０を持ち上げるか、機能リング２０の連結作用によってズボンの腰の辺りまたは鞄などに瓶体９０を取り付け、携帯および使用の便をはかることができる。一方、瓶体９０を製造する過程において、サポートリング１０、機能リング２０および瓶体９０を連結して製造すれば、別途型によってサポートリング１０を製作し、瓶体９０に取り付ける必要がなくなるだけでなく、紛失しにくく、環境保全効果を果たすことができる。本考案は、瓶体９０を多様に連結したり、効果的に使用したりすることによって瓶体９０を効果的にリサイクルし、環境保全効果を増進することができる。また、サポートリング１０に穿孔１１および機能リング２０を増設するのみのため、構造が簡単であるだけでなく、製造コストを削減することができる。
【００１５】
図４および図５に示すように、瓶体９０の間を連結する際、機能リング２０の係合柱２１および係合孔２２を分離させ、そののち機能リング２０を別の瓶体９０のサポートリング１０の穿孔１１に差し込み、続いて係合孔２２および係合柱２１を結合させ、二つの瓶体９０を連結すれば、片手で二つの瓶体９０の間の機能リング２０を持って二つの瓶体９０を同時に持ち上げ、歩くことができる。
図５および図６に示すように、機能リング２０を使用して二つの瓶体９０を連結する方式によって機能リング２０で二つ以上の瓶体９０を連結すれば、片手で複数の瓶体９０を同時に持ち上げて歩くことができる。
【００１６】
（第２実施形態）
本考案の第２実施形態による機能リングを図７に示す。本実施形態では、機能リング２０は、一端に形成される嵌合部２３、他端に形成される嵌合孔２４、および、嵌合孔２４と繋がる貫通孔２５を有する。嵌合部２３は嵌合孔２４に嵌合され、そののち貫通孔２５内に係止されるため、機能リング２０を閉じることができるだけでなく、機能リング２０を簡単に開けることもできる。一方、同様に機能リング２０を脱落させることなく穿孔１１に装着することができ、機能リング２０と穿孔１１とは着脱可能に結合される。
【００１７】
（第３実施形態）
本考案の第３実施形態による機能リングおよびリングユニットを図８および図９に示す。本実施形態では、機能リング２０は、環状に形成された環状体２６、および、環状体２６の両端から軸に対し平行に延びるよう形成されるフック２７を有する。フック２７は、サポートリング１０の穿孔１１に引っかかる。上述した構造により、同様に機能リング２０を脱落させることなく穿孔１１に装着することができ、機能リング２０と穿孔１１とは着脱可能に結合される。一方、機能リング２０によって複数の瓶体９０を連結し、片手で複数の瓶体９０を同時に持ち上げて歩くことができる。
【００１８】
（第４実施形態）
本考案の第４実施形態による機能リングを図１０に示す。本実施形態では、機能リング２０は、環状に形成された環状体２８、および、環状体２８の両端から軸に直交する仮想平面に沿って延びるよう形成されるフック２９を有する。フック２９は、サポートリング１０の穿孔１１に引っかかる。上述した構造により、同様に機能リング２０を脱落させることなく穿孔１１に装着することができ、機能リング２０と穿孔１１とは着脱可能に結合される。一方、機能リング２０によって複数の瓶体９０を連結し、片手で複数の瓶体９０を同時に持ち上げて歩くことができる。
【００１９】
（第５、６実施形態）
本考案の第５、６実施形態によるサポートリングを図１１および図１２に示す。図１１および図１２は、形の違う二つのサポートリング１０および形の違う二つの穿孔１１を示す斜視図である。図１１、１２に示すように、第５、６実施形態では、サポートリング１０上の穿孔１１とは異なる部位に欠け口１２を設けることによって材料コストを削減し、サポートリング１０の美観を増すことができる。
一方、サポートリング１０の外観および穿孔１１の形を多様化することによってサポートリング１０の美観を増すこともできる。
以上、本考案は、上記実施形態になんら限定されるものではなく、考案の趣旨を逸脱しない範囲において種々の形態で実施可能である。
【符号の説明】
【００２０】
１０  ・・・サポートリング
１１  ・・・穿孔
１２  ・・・欠け口
２０  ・・・機能リング
２１  ・・・係合柱
２２  ・・・係合孔
２３  ・・・嵌合部
２４  ・・・嵌合孔
２５  ・・・貫通孔
２６  ・・・環状体
２７  ・・・フック
２８  ・・・環状体
２９  ・・・フック
９０  ・・・瓶体
９１  ・・・口部
９２  ・・・キャップ
【図１】
0003179541.tif 000003
【図２】
0003179541.tif 000004
【図３】
0003179541.tif 000005
【図４】
0003179541.tif 000006
【図５】
0003179541.tif 000007
【図６】
0003179541.tif 000008
【図７】
0003179541.tif 000009
【図８】
0003179541.tif 000010
【図９】
0003179541.tif 000011
【図１０】
0003179541.tif 000012
【図１１】
0003179541.tif 000013
【図１２】
0003179541.tif 000014
【手続補正書】
【提出日】平成24年9月4日(2012.9.4)
【手続補正１】
【補正対象書類名】実用新案登録請求の範囲
【補正対象項目名】請求項１
【補正方法】変更
【補正の内容】
【請求項１】
瓶体と一体に形成され、少なくとも一つの穿孔を有するサポートリングと、
前記穿孔と結合および分離可能に前記穿孔に装着される機能リングと、を備えるリングユニット。